(57)【要約】【課題】携帯端末装置を用いた施錠・開錠システムにおいて、携帯端末装置が特殊な仕組みを備える必要がなく、かつ、携帯端末装置の紛失ないし盗難時における第三者の不正利用を制限できるようにする。【解決手段】電子鍵を生成する電子鍵処理部３２２が、電子鍵を生成してから一定時間が経過すると、電子鍵を無効化する。また、電子鍵管理装置３００が、携帯電話機１０１から送信された開錠要求を受信した際、錠制御部３１３は、携帯電話機１０１から送信された電子鍵を取得し、当該電子鍵が有効である場合にのみ開錠する。これにより、携帯電話機１０１を不正に取得した第三者が、携帯電話機１０１を用いて開錠要求する前に電子鍵が無効となることを期待でき、第三者の不正利用を制限できる。【選択図】図１
2012144899.tif 000002
【特許請求の範囲】
【請求項１】
電子鍵を生成し、電子鍵生成時からの時間経過に応じて前記電子鍵を無効とする電子鍵処理部と、
前記生成された電子鍵を送信する送信部と、
前記電子鍵を記憶する電子鍵情報記憶部と、
電子鍵を含む開錠要求を受信する受信部と、
前記受信部が前記開錠要求を受信した場合、前記電子鍵が無効となっているときは、制御対象の錠を開錠しないことに決定し、前記電子鍵が無効となっていないときは、前記開錠要求に含まれる電子鍵と、前記電子鍵情報記憶部の記憶する電子鍵とを照合し、照合結果に基づいて前記制御対象の錠を開錠するか否かを決定し、開錠することに決定すると、前記制御対象の錠に対する開錠処理を行う錠制御部と、
を具備することを特徴とする電子鍵管理装置。
【請求項２】
前記受信部は認証情報を含む電子鍵更新要求を受信し、
前記電子鍵処理部は、前記電子鍵更新要求に含まれる認証情報に基づいてユーザ認証を行い、前記ユーザ認証に成功すると新たな電子鍵を生成し、
前記錠制御部は、前記受信部が前記開錠要求を受信した場合、前記電子鍵処理部の生成した全ての電子鍵が無効となっているときは、前記制御対象の錠を開錠しないことに決定し、前記電子鍵処理部の生成したいずれかの電子鍵が無効となっていないときは、前記開錠要求に含まれる電子鍵と、前記無効となっていない電子鍵とを照合し、照合結果に基づいて前記制御対象の錠を開錠するか否かを決定する
ことを特徴とする請求項１に記載の電子鍵管理装置。
【請求項３】
前記受信部は、認証情報を含む電子鍵無効化要求を受信し、
前記電子鍵処理部は、前記電子鍵無効化要求に含まれる認証情報に基づいてユーザ認証を行い、前記ユーザ認証に成功すると前記電子鍵を無効とする
ことを特徴とする請求項１または請求項２に記載の電子鍵管理装置。
【請求項４】
制御対象の錠と、前記錠を制御する電子鍵管理装置と、前記錠の開錠要求を前記電子鍵管理装置に送信する携帯端末装置と、を具備し、
前記電子鍵管理装置は、
電子鍵を生成し、電子鍵生成時からの時間経過に応じて前記電子鍵を無効とする電子鍵処理部と、
前記生成された電子鍵を前記携帯端末装置に送信する送信部と、
前記電子鍵を記憶する電子鍵情報記憶部と、
前記携帯端末装置から電子鍵を含む前記開錠要求を受信する受信部と、
前記受信部が前記開錠要求を受信した場合、前記電子鍵が無効となっているときは、制御対象の錠を開錠しないことに決定し、前記電子鍵が無効となっていないときは、前記開錠要求に含まれる電子鍵と、前記電子鍵情報記憶部の記憶する電子鍵とを照合し、照合結果に基づいて前記制御対象の錠を開錠するか否かを決定し、開錠することに決定すると、前記制御対象の錠に対する開錠処理を行う錠制御部と、
を具備することを特徴とする施錠・開錠システム。
【請求項５】
前記受信部は、前記携帯端末装置から認証情報を含む電子鍵更新要求を受信し、
前記電子鍵処理部は、前記電子鍵更新要求に含まれる認証情報に基づいてユーザ認証を行い、前記ユーザ認証に成功すると新たな電子鍵を生成し、
前記錠制御部は、前記受信部が前記開錠要求を受信した場合、前記電子鍵処理部の生成した全ての電子鍵が無効となっているときは、前記制御対象の錠を開錠しないことに決定し、前記電子鍵処理部の生成したいずれかの電子鍵が無効となっていないときは、前記開錠要求に含まれる電子鍵と、前記無効となっていない電子鍵とを照合し、照合結果に基づいて前記制御対象の錠を開錠するか否かを決定する
ことを特徴とする請求項４に記載の施錠・開錠システム。
【請求項６】
前記受信部は、認証情報を含む電子鍵無効化要求を受信し、
前記電子鍵処理部は、前記電子鍵無効化要求に含まれる認証情報に基づいてユーザ認証を行い、前記ユーザ認証に成功すると前記電子鍵を無効とする
ことを特徴とする請求項４または請求項５に記載の施錠・開錠システム。
【請求項７】
前記認証情報は、前記携帯端末装置の識別情報を含むことを特徴とする請求項４から６のいずれか一項に記載の施錠・開錠システム。
【請求項８】
電子鍵管理装置の電子鍵管理方法であって、
電子鍵を生成する電子鍵生成ステップと、
電子鍵生成時からの時間経過に応じて前記電子鍵を無効とする電子鍵無効化ステップと、
前記生成された電子鍵を送信する送信ステップと、
前記電子鍵を記憶する電子鍵情報記憶ステップと、
電子鍵を含む開錠要求を受信する受信ステップと、
前記受信ステップにて前記開錠要求を受信した場合、前記電子鍵が無効となっているときは、制御対象の錠を開錠しないことに決定し、前記電子鍵が無効となっていないときは、前記開錠要求に含まれる電子鍵と、前記電子鍵情報記憶ステップにて記憶した電子鍵とを照合し、照合結果に基づいて前記制御対象の錠を開錠するか否かを決定し、開錠することに決定すると、前記制御対象の錠に対する開錠処理を行う錠制御ステップと、
を具備することを特徴とする電子鍵管理方法。
【請求項９】
電子鍵管理装置としてのコンピュータに、
電子鍵を生成する電子鍵生成ステップと、
電子鍵生成時からの時間経過に応じて前記電子鍵を無効とする電子鍵無効化ステップと、
前記生成された電子鍵を送信する送信ステップと、
前記電子鍵を記憶する電子鍵情報記憶ステップと、
電子鍵を含む開錠要求を受信する受信ステップと、
前記受信ステップにて前記開錠要求を受信した場合、前記電子鍵が無効となっているときは、制御対象の錠を開錠しないことに決定し、前記電子鍵が無効となっていないときは、前記開錠要求に含まれる電子鍵と、前記電子鍵情報記憶ステップにて記憶した電子鍵とを照合し、照合結果に基づいて前記制御対象の錠を開錠するか否かを決定し、開錠することに決定すると、前記制御対象の錠に対する開錠処理を行う錠制御ステップと、
を実行させるためのプログラム。
【発明の詳細な説明】
【技術分野】
【０００１】
本発明は、錠の施錠・開錠を行う施錠・開錠システム、当該施錠・開錠システムの電子鍵管理装置、当該電子鍵管理装置の電子鍵管理方法およびプログラムに関する。
【背景技術】
【０００２】
携帯電話機は、着信を常時待ち受ける機能を有しているため、通常、携帯電話機の利用者本人によって常時携帯される。この携帯電話機の使用形態に基づき、携帯電話機に鍵としての機能を持たせることが提案されている。
例えば、特許文献１に示される錠制御システムでは、携帯端末から複数の鍵情報を受信し、複数の鍵情報がすべて一致する照合結果が得られたときに扉を開錠する。これにより、一種類の鍵情報に比べて、セキュリティのより一層の向上を実現できる。
また、特許文献２に示される電子錠システムでは、サーバが、施錠・開錠を要求する携帯電話機から送信されるユーザの生体データの認証を行い、本人である場合に許可信号を送信する。これにより、電子錠のセキュリティを高めることができる。
【先行技術文献】
【特許文献】
【０００３】
【特許文献１】特開２００４−３０８２５７号公報
【特許文献２】特開２００７−２４７３４６号公報
【発明の概要】
【発明が解決しようとする課題】
【０００４】
特許文献１に示される錠制御システムでは、携帯電話機の紛失・盗難に対するセキュリティ対策は明記されていない。また、特許文献２に示される電子錠システムでは、携帯電話機が生体データを取得する仕組みを備える必要がある点で、利用可能な携帯電話機が制限されてしまう。
【０００５】
本発明は、上述の課題を解決することのできる電子鍵管理装置、施錠・開錠システム、電子鍵管理方法およびプログラムを提供することを目的としている。
【課題を解決するための手段】
【０００６】
この発明は上述した課題を解決するためになされたもので、本発明の一態様による電子鍵管理装置は、電子鍵を生成し、電子鍵生成時からの時間経過に応じて前記電子鍵を無効とする電子鍵処理部と、前記生成された電子鍵を送信する送信部と、前記電子鍵を記憶する電子鍵情報記憶部と、電子鍵を含む開錠要求を受信する受信部と、前記受信部が前記開錠要求を受信した場合、前記電子鍵が無効となっているときは、制御対象の錠を開錠しないことに決定し、前記電子鍵が無効となっていないときは、前記開錠要求に含まれる電子鍵と、前記電子鍵情報記憶部の記憶する電子鍵とを照合し、照合結果に基づいて前記制御対象の錠を開錠するか否かを決定し、開錠することに決定すると、前記制御対象の錠に対する開錠処理を行う錠制御部と、を具備することを特徴とする。
【０００７】
また、本発明の一態様による施錠・開錠システムは、制御対象の錠と、前記錠を制御する電子鍵管理装置と、前記錠の開錠要求を前記電子鍵管理装置に送信する携帯端末装置と、を具備し、前記電子鍵管理装置は、電子鍵を生成し、電子鍵生成時からの時間経過に応じて前記電子鍵を無効とする電子鍵処理部と、前記生成された電子鍵を前記携帯端末装置に送信する送信部と、前記電子鍵を記憶する電子鍵情報記憶部と、前記携帯端末装置から電子鍵を含む前記開錠要求を受信する受信部と、前記受信部が前記開錠要求を受信した場合、前記電子鍵が無効となっているときは、制御対象の錠を開錠しないことに決定し、前記電子鍵が無効となっていないときは、前記開錠要求に含まれる電子鍵と、前記電子鍵情報記憶部の記憶する電子鍵とを照合し、照合結果に基づいて前記制御対象の錠を開錠するか否かを決定し、開錠することに決定すると、前記制御対象の錠に対する開錠処理を行う錠制御部と、を具備することを特徴とする。
【０００８】
また、本発明の一態様による電子鍵管理方法は、電子鍵管理装置の電子鍵管理方法であって、電子鍵を生成する電子鍵生成ステップと、電子鍵生成時からの時間経過に応じて前記電子鍵を無効とする電子鍵無効化ステップと、前記生成された電子鍵を送信する送信ステップと、前記電子鍵を記憶する電子鍵情報記憶ステップと、電子鍵を含む開錠要求を受信する受信ステップと、前記受信ステップにて前記開錠要求を受信した場合、前記電子鍵が無効となっているときは、制御対象の錠を開錠しないことに決定し、前記電子鍵が無効となっていないときは、前記開錠要求に含まれる電子鍵と、前記電子鍵情報記憶ステップにて記憶した電子鍵とを照合し、照合結果に基づいて前記制御対象の錠を開錠するか否かを決定し、開錠することに決定すると、前記制御対象の錠に対する開錠処理を行う錠制御ステップと、を具備することを特徴とする。
【０００９】
また、本発明の一態様によるプログラムは、電子鍵管理装置としてのコンピュータに、電子鍵を生成する電子鍵生成ステップと、電子鍵生成時からの時間経過に応じて前記電子鍵を無効とする電子鍵無効化ステップと、前記生成された電子鍵を送信する送信ステップと、前記電子鍵を記憶する電子鍵情報記憶ステップと、電子鍵を含む開錠要求を受信する受信ステップと、前記受信ステップにて前記開錠要求を受信した場合、前記電子鍵が無効となっているときは、制御対象の錠を開錠しないことに決定し、前記電子鍵が無効となっていないときは、前記開錠要求に含まれる電子鍵と、前記電子鍵情報記憶ステップにて記憶した電子鍵とを照合し、照合結果に基づいて前記制御対象の錠を開錠するか否かを決定し、開錠することに決定すると、前記制御対象の錠に対する開錠処理を行う錠制御ステップと、を実行させるためのプログラムである。
【発明の効果】
【００１０】
本発明によれば、携帯電話機等の携帯端末装置が特殊な仕組みを備える必要がなく、かつ、携帯端末装置の紛失ないし盗難時における第三者の不正利用を制限できる。
【図面の簡単な説明】
【００１１】
【図１】本発明の一実施形態における施錠・開錠システムの概略構成を示す構成図である。
【図２】同実施形態において、認証用データを登録する際の、電子鍵管理装置の処理手順を示すフローチャートである。
【図３】同実施形態において、電子鍵を発行および再発行する際の、電子鍵管理装置の処理手順を示すフローチャートである。
【図４】同実施形態において、電子鍵管理装置が行う開錠処理の手順を示すフローチャートである。
【図５】同実施形態において、電子鍵管理装置が電子鍵無効化要求を受けた際の、電子鍵管理装置の処理手順を示すフローチャートである。
【発明を実施するための形態】
【００１２】
以下、図面を参照して、本発明の実施の形態について説明する。
図１は、本発明の一実施形態における施錠・開錠システムの概略構成を示す構成図である。同図において、施錠・開錠システム１は、携帯電話機（携帯端末装置）１０１と、扉２０１と、無線通信装置２０２と、電子鍵管理装置３００とを具備する。電子鍵管理装置３００は、無線通信部３１１と、ネットワーク通信部３１２と、錠制御部３１３と、携帯登録部３２１と、電子鍵処理部３２２と、電子鍵情報記憶部３４１と、認証情報記憶部３４２と、一時記憶部３４３と、パスワード記憶部３４４とを具備する。
また、ネットワーク通信部３１２は、インターネット（Internet）９０１に接続され、携帯電話機１０１は、無線にて携帯電話網（携帯電話通信事業者が携帯電話用に提供する通信ネットワーク）９０２に接続される。
【００１３】
扉２０１は、家２００の扉であり、制御対象の錠と、当該錠を施錠および開錠するアクチュエータとを具備する。そして、扉２０１は、施錠により開扉不可となり、開錠により開扉可能となる。なお、以下では、扉２０１の錠（制御対象の錠）を、単に「錠」と称する。また、当該錠に対する施錠、開錠を、それぞれ単に「施錠」、「開錠」と称する。
【００１４】
携帯電話機１０１は、携帯電話網９０２およびインターネット９０１を介して、あるいは、無線通信装置２０２を介して、電子鍵管理装置３００と通信を行う。そして、携帯電話機１０１は、ユーザ操作に応じて、施錠あるいは開錠などの要求を、電子鍵管理装置３００に送信する。なお、本発明における携帯端末装置は、携帯電話機に限らず、ユーザ操作を受け付けて電子鍵管理装置３００と通信可能な携帯型の機器であればよい。例えば、ＰＤＡ（Personal Digital Assistants）であってもよい。
【００１５】
無線通信装置２０２は、携帯電話機１０１と近距離通信を行う装置であり、携帯電話機１０１からの受信データを電子鍵管理装置３００に送信（転送）し、電子鍵管理装置３００からの受信データを携帯電話機１０１に送信（転送）する。
なお、無線通信装置２０２の通信方式としては、携帯電話機１０１と近距離通信可能な様々な方式を用いることができる。例えば、無線通信装置２０２が、ＩｒＤＡ（登録商標、Infrared Data Association）にて携帯電話機１０１と通信を行うようにしてもよいし、Ｂｌｕｅｔｏｏｔｈ（登録商標）、または、ＲＦＩＤ（Radio Frequency IDentification）、または、ＮＦＣ（Near Field Communication）、または、無線ＬＡＮ（Local Area Network）など、他の無線通信方式を用いて携帯電話機１０１と通信を行うようにしてもよい。あるいは、接続の手間がかかってしまうが、ＵＳＢ（Universal Serial Bus）など有線で通信を行うようにしてもよい。
【００１６】
電子鍵管理装置３００は、例えば、家２００に設置されるコンピュータであり、電子鍵の生成（発行）や無効化など電子鍵の管理や、電子鍵や携帯電話機１０１に関する情報等を用いたユーザ認証や、携帯電話機１０１からの要求および認証結果に基づいて、錠に対する制御を行う。なお、ここでいう「電子鍵」は、開錠要求者の開錠要求権限の有無を判定するためのデータである。具体的には、電子鍵は、電子鍵処理部３２２の生成するデータ（例えばランダムな文字列）であり、錠制御部３１３は、携帯電話機１０１が送信する電子鍵が、電子鍵処理部３２２の生成した電子鍵に一致するか否かに基づいて、開錠要求権限の有無を判定する。
なお、電子鍵管理装置３００は、コンピュータに限らず、例えば専用装置にて実現されていてもよい。
【００１７】
無線通信部３１１は、無線通信装置２０２との通信インタフェース機能（例えば、ＵＳＢによる通信機能）を有し、携帯電話機１０１が無線通信装置２０２の近傍に位置するときに、無線通信装置２０２を介して、携帯電話機１０１と通信を行う。
ネットワーク通信部３１２は、インターネット９０１とのインタフェース機能（ＴＣＰ／ＩＰ（Transmission Control Protocol / Internet Protocol）による通信機能）を有し、携帯電話網９０２およびインターネット９０１を介して、携帯電話機１０１と通信を行う。
なお、無線通信部３１１と、ネットワーク通信部３１２とが、本発明における送信部および受信部に該当する。本実施形態においては、無線通信部３１１およびネットワーク通信部３１２が、電子鍵を送信する。また、ネットワーク通信部３１２が、電子鍵更新要求や、電子鍵無効化要求を受信する。また、無線通信部３１１が、開錠要求を受信する。
【００１８】
錠制御部３１３は、携帯電話機１０１からの施錠要求や開錠要求に対して、携帯電話機１０１に関する情報や電子鍵を用いてユーザ認証（施錠要求権限や開錠要求権限の有無の判定）を行い、認証に成功すると、施錠や開錠を行う。
携帯登録部３２１は、携帯電話機１０１からの登録要求に応じて、携帯電話機１０１の識別情報（例えば、携帯電話機１０１から読み出される端末識別番号（International Mobile Equipment Identifier；ＩＭＥＩ））などを、認証用データとして認証情報記憶部３４２に書き込む。この認証用データはは、電子鍵管理装置３００が携帯電話機１０１からの要求を処理する際に、要求権限を有するユーザからの要求か否かを判定するためのユーザ認証に用いられる。なお、以下では、携帯電話機の識別情報を「端末固有情報」と称する。
電子鍵処理部３２２は、電子鍵の生成や更新や無効化などの処理を行う。
【００１９】
携帯登録部３２１と、電子鍵処理部３２２とは、例えばコンピュータである電子鍵管理装置３００の具備するＣＰＵが、電子鍵管理装置３００の具備するメモリからプログラムを読み出して実行することによって実現される。
また、錠制御部３１３は、扉２０１のアクチュエータに対する通信インタフェース機能を有し、例えばコンピュータである電子鍵管理装置３００の具備するＣＰＵが、電子鍵管理装置３００の具備するメモリからプログラムを読み出して実行し、通信インタフェース機能を用いて扉２０１のアクチュエータに制御信号を送信することによって実現される。
【００２０】
電子鍵情報記憶部３４１は、電子鍵処理部３２２の生成する電子鍵を、当該電子鍵の生成時刻と対応付けて記憶する。認証情報記憶部３４２は、端末固有情報など、携帯登録部３２１の書き込む認証用データを記憶する。一時記憶部３４３は、携帯登録部３２１が認証情報記憶部３４２に書き込む認証用データを一時保存する。パスワード記憶部３４４は、携帯電話機１０１のユーザを認証するためのパスワードを予め記憶する。当該パスワードは、例えば、電子鍵管理装置３００の具備するキーボード等の入力デバイスが、携帯電話機１０１のユーザの操作（あるいは、電子鍵管理装置３００の管理者の操作）を受け付けることによって入力され、パスワード記憶部３４４は、入力されたパスワードを記憶する。
電子鍵情報記憶部３４１と、認証情報記憶部３４２と、一時記憶部３４３と、パスワード記憶部３４４とは、例えばコンピュータである電子鍵管理装置３００の具備するメモリにおける記憶領域として実現される。
【００２１】
次に、図２〜図５を参照して、施錠・開錠システム１の動作について説明する。
図２は、認証用データを登録する際の、電子鍵管理装置３００の処理手順を示すフローチャートである。電子鍵管理装置３００は、携帯電話機１０１からの登録要求を受信すると同図の処理を開始する。
例えば、携帯電話機１０１は、ユーザの登録要求操作に応じてパスワード入力画面を表示し、ユーザのテンキー操作によって入力されるパスワードを含む登録要求を、無線通信装置２０２を介して電子鍵管理装置３００（無線通信部３１１）に送信する。そして、無線通信部３１１は、当該登録要求を、携帯登録部３２１に出力（転送）する。
【００２２】
登録要求の出力を受けた携帯登録部３２１は、当該登録要求からパスワードを読み出すことによって当該パスワードを取得する（ステップＳ１０１）。
そして、携帯登録部３２１は、登録要求から読み出したパスワードが、パスワード記憶部３４４の予め記憶するパスワードと一致するか否かを判定する（ステップＳ１０２）。当該判定は、登録要求権限のあるユーザからの正当な登録要求か否かを判定するために行われる。
【００２３】
パスワードが一致すると判定した場合（ステップＳ１０２：ＹＥＳ）、携帯登録部３２１は、携帯電話機１０１から認証用データを取得し、取得した認証用データを一時記憶部３４３に書き込む（ステップＳ１１１）。
例えば、携帯登録部３２１は、無線通信部３１１および無線通信装置２０２を介して、携帯電話機１０１にパスワードが一致した旨を示す情報を送信する。そして、当該情報を受信した携帯電話機１０１は、ユーザＩＤおよびパスワードの入力画面を表示して、ユーザＩＤおよびパスワードの入力を受け付ける。ここで入力されるパスワードは、開錠等の処理を行う際のユーザ認証に用いられるパスワードであり、パスワード記憶部３４４の記憶するパスワードと異なっていてもよい。
【００２４】
ユーザＩＤおよびパスワードの入力が完了すると、携帯電話機１０１は、当該携帯電話機１０１の端末固有情報とメールアドレス（インターネット用のメールアドレス）とを読み出し、認証用データとして、端末固有情報と、メールアドレスと、ユーザＩＤおよびパスワードとを、無線通信装置２０２を介して電子鍵管理装置３００（無線通信部３１１）に送信する。そして、携帯登録部３２１は、無線通信部３１１から、これらのデータの出力（転送）を受けることにより、認証用データを取得する。
【００２５】
ステップＳ１１２〜Ｓ１１５において、電子鍵管理装置３００は、携帯電話機１０１のメールアドレスの不正登録を防止するために、メールアドレスの確認処理を行う。
まず、携帯登録部３２１は、取得したメールアドレス宛の電子メールを生成し、ネットワーク通信部３１２に出力する。ネットワーク通信部３１２は、当該電子メールを、インターネット９０１および携帯電話網９０２を介して、携帯電話機１０１に送信する（ステップＳ１１２）。
当該電子メールを受信した携帯電話機１０１は、当該携帯電話機１０１の端末固有情報を含む電子メールを生成し、携帯電話網９０２とインターネット９０１とを介して電子鍵管理装置３００（ネットワーク通信部３１２）に送信する。
【００２６】
そして、ネットワーク通信部３１２は、携帯電話機１０１からの電子メールを携帯登録部３２１に出力（転送）し、携帯登録部３２１は、携帯電話機１０１からの電子メールから、端末固有情報を読み出すことによって、当該端末固有情報を取得する（ステップＳ１１４）。
次に、携帯登録部３２１は、電子メールから読み出した端末固有情報が、ステップＳ１１１で一時記憶部３４３に書き込んだ端末固有情報と一致するか否かを判定する（ステップＳ１１５）。
【００２７】
一致すると判定した場合（ステップＳ１１５：ＹＥＳ）、ステップＳ１１１で一時記憶部３４３に書き込んだ端末固有情報と、メールアドレスと、ユーザＩＤおよびパスワードとを、認証用データとして認証情報記憶部３４２に書き込む（書き写す。ステップＳ１２１）。
そして、携帯登録部３２１は、認証用データの登録が完了したとを示す電子メールを生成し、ネットワーク通信部３１２に出力する。ネットワーク通信部３１２は、当該電子メールを、インターネット９０１および携帯電話網９０２を介して、携帯電話機１０１に送信する（ステップＳ１２２）。
その後、同図の処理を終了する。
【００２８】
一方、ステップＳ１０２において、パスワードが一致しないと判定した場合（ステップＳ１０２：ＮＯ）や、ステップＳ１１５において、端末固有情報が一致しないと判定した場合、または、端末固有情報を所定時間内に取得できなかった場合（ステップＳ１１５：ＮＯ）、携帯登録部３２１は、認証用データの認証情報記憶部３４２への登録を行わずに同図の処理を終了する。
【００２９】
このように、電子鍵管理装置３００が、近距離通信（無線通信装置２０２を介した通信）にて、認証用情報を携帯電話機１０１から取得することにより（上記ステップＳ１１１）、遠隔操作による不正登録を防止できる。
また、電子鍵管理装置３００が、認証用データを取得したのち、認証用データに含まれるメールアドレスを用いて携帯電話機１０１と通信を行うことにより、メールアドレスの不正登録（不正なメールアドレスを用いての、権限者へのなりすまし行為）の有無を判定し、不正登録を防止することができる。
【００３０】
なお、電子鍵管理装置３００が、ステップＳ１０１におけるパスワード入力、および、ステップＳ１１１における認証用情報の入力を、電子鍵管理装置３００の具備するキーボード等の入力デバイスにより受け付けるようにしてもよい。この場合も、上述した近距離通信による場合と同様、遠隔操作による不正登録を防止できる。
【００３１】
図３は、電子鍵を発行および再発行する際の、電子鍵管理装置３００の処理手順を示すフローチャートである。電子鍵管理装置３００は、携帯電話機１０１からの施錠要求を受信すると同図の処理を開始する。
例えば、携帯電話機１０１は、ユーザの施錠要求操作に応じて、携帯電話機１０１の端末固有情報を含む施錠要求を、無線通信装置２０２を介して電子鍵管理装置３００（無線通信部３１１）に送信する。そして、無線通信部３１１は、当該施錠要求を、電子鍵処理部３２２に出力（転送）する。
【００３２】
施錠要求の出力を受けた電子鍵処理部３２２は、当該施錠要求から端末固有情報を読み出すことによって当該端末固有情報を取得する（ステップＳ２０１）。
そして、電子鍵処理部３２２は、施錠要求から読み出した端末固有情報が登録済みか否か、すなわち、ステップＳ１２１（図２）で認証情報記憶部３４２に書き込んだ端末固有情報と一致するか否かを判定する（ステップＳ２０２）。当該判定は、施錠要求権限のあるユーザからの正当な施錠要求か否かを判定するためのユーザ認証として行われる。
【００３３】
登録済みであると判定した場合（ステップＳ２０２：ＹＥＳ）、電子鍵処理部３２２は、新たな電子鍵を生成し、無線通信部３１１に出力する。そして、無線通信部３１１は、電子鍵処理部３２２から出力された電子鍵を、無線通信装置２０２を介して携帯電話機１０１に送信（転送）する（ステップＳ２１１）。
また、電子鍵処理部３２２は、ステップＳ２１１で生成した電子鍵を、当該電子鍵の生成時刻と対応付けて電子鍵情報記憶部３４１に書き込む（ステップＳ２１２）。
そして、電子鍵処理部３２２は、施錠を行うよう指示する情報を錠制御部３１３に出力する。当該情報の出力を受けた錠制御部３１３は、扉２０１の具備する制御対象の錠のアクチュエータに対して、施錠を指示する制御信号を送信することにより、施錠を行う（ステップＳ２１３）。
【００３４】
その後、電子鍵処理部３２２は、ステップＳ２１２で電子鍵情報記憶部３４１に書き込んだ生成時刻に基づいて、電子鍵を生成した後、予め定められた一定期間（電子鍵の有効期間）が経過したか否かを判定する（ステップＳ２１４）。一定期間が経過していないと判定した場合（ステップＳ２１４：ＮＯ）、ステップＳ２１４に戻り、当該一定期間の経過を待ち受ける。
一方、一定期間が経過したと判定した場合（ステップＳ２１４：ＹＥＳ）、電子鍵処理部３２２は、電子鍵情報記憶部３４１の記憶する電子鍵を削除（破棄）することにより、電子鍵を無効化する（ステップＳ２２１）。このように、電子鍵処理部３２２は、電子鍵生成時からの時間経過に応じて電子鍵を無効とする。
【００３５】
そして、電子鍵処理部３２２は、電子鍵の有効期間が経過したことを示す電子メールを生成し、ネットワーク通信部３１２に出力し、ネットワーク通信部３１２は、当該電子メールを、インターネット９０１および携帯電話網９０２を介して、携帯電話機１０１に送信する（ステップＳ２２２）。
その後、電子鍵処理部３２２は、携帯電話機１０１からの、パスワードを含む電子鍵更新要求の送信を待ち受ける（ステップＳ２２３）。例えば、携帯電話機１０１は、ステップＳ２２２にて電子鍵管理装置３００からの電子メールを受信すると、電子鍵の有効期間が経過したことを画面表示および音声にてユーザに通知し、ユーザのテンキー操作によって入力されるパスワードを含む電子鍵更新要求を、無線通信装置２０２を介して電子鍵管理装置３００（無線通信部３１１）に送信する。そして、無線通信部３１１は、当該電子鍵更新要求を、電子鍵処理部３２２に出力（転送）する。
【００３６】
そして、電子鍵処理部３２２は、所定期間（パスワード待受期間として定められた一定期間。例えば１０分）内にパスワードを取得したか否かを判定する（ステップＳ２２４）。パスワードを取得したと判定した場合（ステップＳ２２４：ＹＥＳ）、電子鍵処理部３２２は、取得したパスワードが、ステップＳ１２１（図２）で電子鍵情報記憶部３４１に書き込んだパスワードと一致するか否かを判定する（ステップＳ２３１）。当該判定は、電子鍵更新要求が、電子鍵更新要求権限を有するユーザからの正当な要求か否かを判定するためのユーザ認証として行われる。
【００３７】
パスワードが一致すると判定した場合、すなわちユーザ認証に成功した場合（ステップＳ２３１：ＹＥＳ）、電子鍵処理部３２２は、新たな電子鍵を生成し、無線通信部３１１に出力する。そして、無線通信部３１１は、電子鍵処理部３２２から出力された電子鍵を、無線通信装置２０２を介して携帯電話機１０１に送信（転送）する（ステップＳ２４１）。
また、電子鍵処理部３２２は、ステップＳ２４１で生成した電子鍵を、当該電子鍵の生成時刻と対応付けて電子鍵情報記憶部３４１に書き込む（ステップＳ２４２）。
その後、ステップＳ２１４に戻り、電子鍵処理部３２２は、ステップＳ２４１で生成した電子鍵の有効期間経過を待ち受ける。
【００３８】
一方、ステップＳ２０２において、登録済みでないと判定した場合（ステップＳ２０２：ＮＯ）、電子鍵管理装置３００は、電子鍵処理部３２２による電子鍵の生成や、錠制御部３１３による施錠を行わずに、同図の処理を終了する。
また、ステップＳ２２４において、所定期間内にパスワードを取得しなかったと判定した場合（ステップＳ２２４：ＮＯ）や、ステップＳ２３１において、パスワードが一致しないと判定した場合、すなわちユーザ認証に失敗した場合（ステップＳ２３１：ＮＯ）、電子鍵処理部３２２は、電子鍵が失効したことを示す電子メールを生成し、ネットワーク通信部３１２に出力する。そして、ネットワーク通信部３１２は、当該電子メールを、インターネット９０１および携帯電話網９０２を介して携帯電話機１０１に送信する。
【００３９】
以上のように、電子鍵管理装置３００は、電子鍵の有効期間が経過すると、当該電子鍵を無効化するので、携帯電話機１０１の紛失ないし盗難時における第三者の不正利用を制限できる。すなわち、携帯電話機１０１を取得した第三者が無線通信装置２０２の近傍に移動して、図４で説明する開錠要求を行った際に、電子鍵が無効化されており、電子鍵管理装置３００が当該開錠要求を受け付けないことを期待し得る。
【００４０】
ここで、ステップＳ２１４における一定期間（電子鍵の有効期間）が短いほど、第三者による不正利用を防止できる可能性が高くなる（すなわち、施錠・開錠システム１のセキュリティが高くなる）。例えば、当該一定期間を３０分に設定すれば、３０分以内に無線通信装置２０２に到達できる圏内で携帯電話機１０１紛失し、あるいは、携帯電話機１０１の盗難に遭った場合を除いて、電子鍵の無効化によって第三者の不正利用を防止できる。
【００４１】
一方、当該一定期間が長ければ、携帯電話機１０１のユーザが、電子鍵更新要求のためのパスワード入力操作を行う頻度を低減させることができ、当該ユーザの負担を軽減させることができる。例えば、当該一定期間を１日に設定すれば、ユーザの操作頻度を１日１回に抑えることができる。すなわち、ユーザは、丸１日以上家を開けない限り、電子鍵更新要求のためのパスワード入力操作を行う必要がない。
【００４２】
あるいは、電子鍵の有効期間を比較的短い期間（例えば３０分）に設定し、ステップＳ２２３における待受時間を比較的長い期間（例えば１日）に設定し、携帯電話機１０１からの電子鍵更新要求に応じて電子鍵管理装置３００が速やかに新たな電子鍵を払い出す（生成および送信する）ようにすれば、携帯電話機１０１のユーザが開錠要求したいときに、携帯電話機１０１が、新たな電子鍵の払い出しを受けて開錠要求を電子鍵管理装置３００に送信できる。これにより、施錠・開錠システム１のセキュリティを高めつつ、ユーザの操作頻度を抑えることができる。
【００４３】
なお、電子鍵の有効期間は、例えば電子鍵管理装置３００の具備するキーボード等の入力デバイスから、携帯電話機１０１のユーザの操作（あるいは、電子鍵管理装置３００の管理者の操作）によって予め設定される。さらに、電子鍵の有効期間は、例えば電子鍵管理装置３００の具備する入力デバイスから、携帯電話機１０１のユーザの操作（あるいは、電子鍵管理装置３００の管理者の操作）によって変更できるようにしてもよい。
【００４４】
なお、ステップＳ２１１において、電子鍵管理装置３００が、携帯電話機１０１に電子鍵を送信する方法は、上述した近距離通信（無線通信装置２０２を介した通信）による方法に限らない。例えば、電子鍵の生成に時間がかかる場合、あるいは公共施設等に用いられる施錠・開錠システムにおいて、短時間に多数の利用者が連続して電子鍵を利用する場合など、携帯電話機１０１が電子鍵管理装置３００の近距離通信手段を占有する時間をなるべく短くしたい場合は、電子鍵管理装置３００が施錠のみを先に行って、電子メールで携帯電話機１０１に電子鍵を送信するようにしてもよい。
一方、上述したように近距離通信を用いて電子鍵を送信することにより、セキュリティを高めることができる。すなわち、第三者が、電子メールの傍受等によって電子鍵を不正取得することを防止し得る。
【００４５】
なお、ステップＳ２２１において、電子鍵管理装置３００が電子鍵を無効化する方法は、上述した、電子鍵情報記憶部３４１記憶する電子鍵を削除する方法に限らない。例えば、電子鍵の履歴を残したい場合は、電子鍵情報記憶部３４１が、電子鍵および電子鍵の生成時刻と対応付けて、さらに電子鍵の有効／無効を示すフラグを記憶し、電子鍵処理部３２２が、当該フラグの値を、無効を示す値（例えば「０」）にすることにより、電子鍵を無効化するようにしてもよい。
【００４６】
図４は、電子鍵管理装置３００が行う開錠処理の手順を示すフローチャートである。電子鍵管理装置３００は、携帯電話機１０１からの開錠要求を受信すると同図の処理を開始する。
例えば、携帯電話機１０１は、ユーザの開錠要求操作に応じて、携帯電話機１０１の端末固有情報と、電子鍵管理装置３００から取得した最新の電子鍵とを含む開錠要求を、無線通信装置２０２を介して電子鍵管理装置３００（無線通信部３１１）に送信する。そして、無線通信部３１１は、当該開錠要求を、錠制御部３１３に出力（転送）する。
【００４７】
開錠要求の出力を受けた錠制御部３１３は、当該開錠要求から、端末固有情報と、電子鍵とを読み出すことによって当該端末固有情報および電子鍵を取得する（ステップＳ３０１）。
そして、錠制御部３１３は、開錠要求から読み出した端末固有情報が登録済みか否か、すなわち、ステップＳ１２１（図２）で認証情報記憶部３４２に書き込んだ端末固有情報と一致するか否かを判定する（ステップＳ３０２）。当該判定は、次のステップＳ３０３における判定と併せて、開錠要求権限のあるユーザからの正当な施錠要求か否かを判定するためのユーザ認証として行われる。
【００４８】
登録済みであると判定した場合（ステップＳ３０２：ＹＥＳ）、錠制御部３１３は、開錠要求から読み出した電子鍵が、電子鍵情報記憶部３４１の記憶する電子鍵、すなわち有効な電子鍵と一致するか否かを判定する（ステップＳ３０３）。
一致すると判定した場合（ステップＳ３０３：ＹＥＳ）、錠制御部３１３は、扉２０１の具備する制御対象の錠のアクチュエータに対して、開錠を指示する制御信号を送信することにより、開錠を行う（ステップＳ３２１）。
【００４９】
その後、錠制御部３１３は、開錠を完了したことを示す情報を電子鍵処理部３２２に出力する。そして、電子鍵処理部３２２は、電子鍵情報記憶部３４１の記憶する電子鍵を削除（破棄）することにより、電子鍵を無効化する（ステップＳ３２２）。
その後、同図の処理を終了する。また、電子鍵管理装置３００は、ステップＳ３２２で電子鍵を無効化したのに伴い、図３の処理も終了する。すなわち、電子鍵管理装置３００は、当該電子鍵の更新を行わなくなる。
【００５０】
一方、ステップＳ３０３において、開錠要求から読み出した電子鍵が、電子鍵情報記憶部３４１の記憶する電子鍵と一致しないと判定した場合（ステップＳ３０３：ＮＯ）、錠制御部３１３は、携帯電話機１０１からのパスワードを取得する（ステップＳ３１１）。
例えば、錠制御部３１３は、電子鍵が一致しないことを示す情報を、無線通信部３１１に出力し、無線通信部３１１は、当該情報を無線通信装置２０２を介して携帯電話機１０１に送信（転送）する。そして、当該情報を受信した携帯電話機１０１は、電子鍵が一致しないことを画面表示にてユーザに通知し、ユーザのテンキー操作によって入力されるパスワードを、無線通信装置２０２を介して電子鍵管理装置３００（無線通信部３１１）に送信する。そして、無線通信部３１１は、当該パスワードを、錠制御部３１３に出力（転送）する。これにより、錠制御部３１３は、携帯電話機１０１からのパスワードを取得する。
【００５１】
そして、錠制御部３１３は、取得したパスワードが、ステップＳ１２１（図２）で電子鍵情報記憶部３４１に書き込んだパスワードと一致するか否かを判定する（ステップＳ３１２）。パスワードが一致すると判定した場合（ステップＳ３１２：ＹＥＳ）、ステップＳ３２１に進む。
一方、ステップＳ３０２において、開錠要求から読み出した端末固有情報が登録済みでないと判定した場合（ステップＳ３０２：ＮＯ）や、ステップＳ３１２において、端末固有情報が一致しないと判定した場合、または、端末固有情報を所定時間内に取得できなかった場合（ステップＳ３１２：ＮＯ）、錠制御部３１３は、開錠を行わずに同図の処理を終了する。
【００５２】
このように、錠制御部３１３は、開錠要求から読み出した電子鍵が、電子鍵情報記憶部３４１の記憶する電子鍵と一致しないと判定した場合、あるいは、電子鍵処理部３２２の生成した全ての電子鍵が無効となっている場合（本実施形態では、電子鍵情報記憶部３４１の記憶する電子鍵が無い場合）は、開錠しないことに決定し（ステップＳ３０３：ＮＯ）、ステップＳ３１２においてパスワードが一致した場合に例外的に開錠することに決定する。
そして、開錠することに決定すると、ステップＳ３２１にて開錠処理を行う。
また、錠制御部３１３は、電子鍵処理部３２２の生成したいずれかの電子鍵が無効となっていない場合（本実施形態では、電子鍵情報記憶部３４１が電子鍵を記憶している場合）は、ステップＳ３０３において、開錠要求に含まれる電子鍵と、無効となっていない電子鍵（電子鍵情報記憶部３４１が記憶する電子鍵）とを照合し、照合結果に基づいて開錠するか否かを決定する。
【００５３】
図５は、電子鍵管理装置３００が電子鍵無効化要求を受けた際の、電子鍵管理装置３００の処理手順を示すフローチャートである。電子鍵管理装置３００は、携帯電話機１０１からの電子鍵無効化要求（本実施形態では、電子鍵を削除（破棄）する要求）を受信すると同図の処理を開始する。
例えば、携帯電話機１０１を紛失した際、あるいは、携帯電話機１０１の盗難に遭った際に、携帯電話機１０１のユーザは、パソコン（Personal Computer；ＰＣ）など携帯電話機１０１以外の装置を用いて、端末固有情報と、パスワードとを含む電子鍵無効化要求を、電子メールにて生成し、当該電子メールを電子鍵管理装置３００に送信する。なお、端末固有情報が不明の場合は、ユーザＩＤと、パスワードとを含む電子鍵無効化要求を生成し送信する。
【００５４】
電子鍵管理装置３００では、ネットワーク通信部３１２が電子鍵無効化要求を受信し、電子鍵処理部３２２に出力する。これにより、電子鍵処理部３２２は電子鍵無効化要求を取得する（ステップＳ４０１）。
そして、電子鍵処理部３２２は、電子鍵無効化要求から端末固有情報（あるいはユーザＩＤ）を読み出し、当該端末固有情報（あるいはユーザＩＤ）が登録済みか否か、すなわち、ステップＳ１２１（図２）で認証情報記憶部３４２に書き込んだ端末固有情報（あるいはユーザＩＤ）と一致するか否かを判定する（ステップＳ４０２）。当該判定は、ステップＳ４１１における判定と併せて、電子鍵無効化要求権限のあるユーザからの正当な無効化要求か否かを判定するためのユーザ認証として行われる。
【００５５】
登録済みであると判定した場合（ステップＳ４０２：ＹＥＳ）、電子鍵処理部３２２は、電子鍵無効化要求からパスワードを読み出し、当該パスワードが登録済みか否か、すなわち、ステップＳ１２１（図２）で認証情報記憶部３４２に書き込んだパスワードと一致するか否かを判定する（ステップＳ４１１）。
【００５６】
登録済みであると判定した場合（ステップＳ４１１：ＹＥＳ）、電子鍵処理部３２２は、電子鍵情報記憶部３４１の記憶する電子鍵を削除（破棄）することにより、電子鍵を無効化する（ステップＳ４２１）。
その後、電子鍵処理部３２２は、電子鍵の破棄が完了したことを示す電子メールを生成し、ネットワーク通信部３１２に出力する。そして、ネットワーク通信部３１２は、当該電子メールを、電子鍵無効化要求の送信元の装置に送信する（ステップＳ４２１）。
その後、同図の処理を完了する。
【００５７】
一方、ステップＳ４０２において、端末固有情報（またはユーザＩＤ）を登録済みでないと判定した場合（ステップＳ４０２：ＮＯ）、および、ステップＳ４１１において、パスワードを登録済みでないと判定した場合（ステップＳ４１１：ＮＯ）、電子鍵処理部３２２は、電子鍵を無効化せずに同図の処理を終了する。
【００５８】
このように、電子鍵無効化要求によって、電子鍵の有効期限経過を待たずに電子鍵を無効化することができ、第三者による電子鍵の不正利用のおそれを、より低減させることができる。
【００５９】
以上のように、施錠・開錠システム１では、携帯電話機１０１を鍵として使用するので、ユーザは、携帯電話機１０１以外に鍵を所持する必要がない。一般に用いられる鍵は、携帯電話機よりも小さい点で、紛失して第三者に不正利用されるおそれが大きい。これに対して、施錠・開錠システム１では、携帯電話機１０１以外に鍵を所持する必要が無いので、鍵を紛失して第三者に不正利用されるおそれを低減させることができる。
【００６０】
また、電子鍵管理装置３００は、端末固有情報や、ユーザＩＤや、パスワードや、電子鍵を用いて、開錠要求などの要求権限の有無を判定する。これにより、携帯電話機１０１は、生体データを取得するための仕組みなど特殊な仕組みを備える必要がない。
【００６１】
また、電子鍵管理装置３００が電子鍵の有効期限経過に応じて電子鍵を無効化するので、携帯電話機１０１の紛失ないし盗難時における第三者の不正利用を制限できる。
ここで、例えばＩＣカード機能を有する携帯電話機を紛失した際に、当該ＩＣカード機能を利用できなくするためには、遠隔操作によってＩＣカード機能を利用不可とする仕組みを、予め携帯電話機が備えておく必要がある。これに対して、施錠・開錠システム１では、電子鍵管理装置３００において電子鍵を無効化することができるので、鍵としての機能を無効化するための仕組みを、予め携帯電話機１０１が備えておく必要が無い。
【００６２】
また、電子鍵管理装置３００は、電子鍵を無効化した際に、電子鍵更新要求に応じて新たな電子鍵を生成し、携帯電話機１０１に送信する。これにより、外出時間が長い場合にも、有効な電子鍵が無くなって携帯電話機１０１のユーザが支障をきたすこと無しに、電子鍵の有効期間を短く設定して、施錠・開錠システム１のセキュリティを高めることができる。
【００６３】
また、電子鍵無効化要求によって、電子鍵の有効期限経過を待たずに電子鍵を無効化することができ、第三者による電子鍵の不正利用のおそれを、より低減させることができる。
【００６４】
また、電子鍵管理装置３００は、施錠要求を受信した際や、開錠要求を受信した際に、端末固有情報を認証情報として用いてユーザ認証を行う。これにより、予め登録された携帯電話機でのみ、施錠要求や開錠要求を可能とすることができ、予め登録されていない携帯電話機を用いて要求権限者になりすましての不正操作を防止できる。
なお、電子鍵管理装置３００が、電子鍵更新要求を受信した際のユーザ認証（ステップＳ２３１）においても、パスワードに加えて端末固有情報を用いてユーザ認証を行うようにしてもよい。これにより、電子鍵の更新においても、より的確に不正操作を防止できる。
【００６５】
なお、電子鍵管理装置３００が、複数の携帯電話機１０１に対して電子鍵を送信するようにしてもよい。例えば、電子鍵管理装置３００が、家族全員の携帯電話機１０１に電子鍵を送信することにより、家族の誰でも、帰宅時に開錠できるようになる。あるいは、会社で利用される施錠・開錠システム１において、電子鍵管理装置３００が、社員全員に電子鍵を送信することにより、社員のだれでも、出勤時に開錠できるようになる。複数の携帯電話機１０１に対する電子鍵の送信は、電子鍵管理装置３００が、携帯電話機１０１の各々について、認証情報と電子鍵とを記憶しておくことにより実現できる。あるいは、電子鍵管理装置３００が、複数の携帯電話機１０１に対して同一の電子鍵を送信するようにしてもよい。これにより、電子鍵管理装置３００が生成し記憶する電子鍵の数を減らすことができ、電子鍵管理装置３００の計算負荷を軽減し、また、電子鍵の記憶に必要な記憶領域を削減することができる。
【００６６】
なお、電子鍵管理装置３００が、電子鍵の有効期限の経過後において、電子鍵更新要求を送信しない携帯電話機１０１に関する認証情報を、認証情報記憶部３４２から削除（消去）するようにしてもよい。これにより、解約された携帯電話に関する認証情報など、使われなくなっている認証情報を不正利用しての、錠に対する不正操作を防止できる。
また、公共施設で用いられる施錠・開錠システム１において、携帯電話機１０１の端末識別番号等を削除することにより、これらプライベートな情報の流出を防止できる。
【００６７】
なお、映画館やコンサートホール等のイベント会場で用いられる施錠・開錠システム１において、チケット販売の際の入場券に代えて、電子鍵管理装置３００が電子鍵を生成し、チケット購入者の携帯電話機１０１に送信するようにしてもよい。この場合、電子鍵による施錠・開錠に代えて、無線通信装置を具備した専用ゲートを用いてイベント会場への入退場管理を行うことが考えられる。すなわち、予め登録され、かつ、電子鍵を記憶している携帯電話機１０１のユーザに対してのみ入退場可能とすることができる。
これにより、入退場時のチケット確認が不要となるので、混雑を緩和しうる。
また、予め登録された携帯電話機１０１を用いる必要があるので、チケット（入場する権利）をオークション、あるいは、ダフ屋行為によって不正転売することを防止できる。
【００６８】
なお、コインロッカーやコインパーキングにおいて施錠・開錠システム１を利用するようにしてもよい。この場合、前払い制の施設においては、課金と引き換えに電子鍵管理装置３００が電子鍵を生成して送信するようにする。また、電子鍵の更新回数に応じて延長料金を課金するようにしてもよい。
【００６９】
なお、電子鍵管理装置３００への電子鍵無効化要求の送信方法は、図５で説明した電子メールによる方法に限らない。例えば、電子鍵管理装置３００が、電子鍵無効化要求用のウェブページを提供し、携帯電話機１０１を紛失した、または盗難に遭ったユーザが、当該ウェブページから端末固有情報やパスワードを入力するようにしてもよい。
また、電子鍵無効化要求に端末固有情報を含めることを必須とする、あるいは、予め発行したワンタイムパスワードを含めることを必須としてもよい。これにより、電子鍵無効化の不正要求を、より的確に防止し得る。
【００７０】
なお、扉２０１がシリンダ錠を備えるようにしてもよい。さらに、扉２０１が、電子鍵の状態に基づいてシリンダ錠を制御する制御部を具備するようにしてもよい。例えば当該制御部は、電子鍵が有効となっているときは、シリンダ錠の操作を不可とし、電子鍵が無効となっているときは、シリンダ錠の操作を可能にする。これにより、携帯電話機１０１のユーザが、通常時は電子鍵を用いて開錠し、携帯電話機１０１を紛失した際は、電子鍵を無効化してシリンダ上にて開錠するようにできる。
【００７１】
なお、携帯電話機１０１と電子鍵管理装置３００との間の通信を、全て携帯電話網９０２およびインターネット９０１を経由して行うようにしてもよい。これにより、施錠・開錠システム１が無線通信装置２０２をそなえる必要が無くなり、施錠・開錠システム１の製造コストおよび運用コストを低減させることができる。
さらに、電子鍵管理装置３００へのパスワードの入力等も、全て携帯電話網９０２およびインターネット９０１を経由して携帯電話機１０１から行うようにすれば、電子鍵管理装置３００が、入力デバイスを備えていなくてもよい。
【００７２】
なお、上述したように、電子鍵管理装置３００はコンピュータであってもよい。従って、電子鍵管理装置３００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７３】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００７４】
１  施錠・開錠システム１
１０１  携帯電話機
２０１  扉
２０２  無線通信装置
３００  電子鍵管理装置
３１１  無線通信部
３１２  ネットワーク通信部
３１３  錠制御部
３２１  携帯登録部
３２２  電子鍵処理部
３４１  電子鍵情報記憶部
３４２  認証情報記憶部
３４３  一時記憶部
３４４  パスワード記憶部
【図１】
2012144899.tif 000003
【図２】
2012144899.tif 000004
【図３】
2012144899.tif 000005
【図４】
2012144899.tif 000006
【図５】
2012144899.tif 000007